(57)【特許請求の範囲】
【請求項１】
電気錠の動作を制御するロック装置であって、
鍵として機能する携帯可能な装置である携帯型鍵機能装置に対し、通信信号を発信する通信信号発信手段と、
前記通信信号の発信間隔を設定する発信間隔設定手段と、
前記通信信号発信手段により発信された通信信号を受信した前記携帯型鍵機能装置から送信され、前記携帯型鍵機能装置の使用終了日時を示す使用終了日時情報を含む第１の識別情報を受信する識別情報受信手段と、
第２の識別情報を記憶する記憶手段と、
前記識別情報受信手段により受信された第１の識別情報と前記記憶手段に記憶された第２の識別情報とが一致するか否かを判断する一致判断手段と、
前記一致判断手段による判断の結果、前記識別情報受信手段により受信された第１の識別情報と前記記憶手段に記憶された第２の識別情報とが一致しないときには、所定の条件の満たす場合に限り、前記識別情報受信手段により受信された第１の識別情報を前記第２の識別情報として前記記憶手段に記憶する登録手段と、
前記一致判断手段による判断の結果、前記識別情報受信手段により受信された第１の識別情報と前記記憶手段に記憶された第２の識別情報とが一致したときには前記電気錠を解錠動作させる電気錠制御手段とを備え、
前記発信間隔設定手段は、前記記憶手段に記憶された第２の識別情報に含まれる前記使用終了日情報が示す前記携帯型鍵機能装置の使用終了日時が到来したとき、前記通信信号の発信間隔を長くすることを特徴とするロック装置。
【請求項２】
前記発信間隔設定手段は、前記携帯型鍵機能装置から送信された前記第１の識別情報が前記識別情報受信手段により初めて受信されたとき、前記通信信号の発信間隔を第１の発信間隔に設定し、その後、前記記憶手段に記憶された第２の識別情報に含まれる前記使用終了日情報が示す使用終了日時が到来したとき、前記通信信号の発信間隔を前記第１の発信間隔よりも長い間隔である第２の発信間隔に設定することを特徴とする請求項１に記載のロック装置。
【請求項３】
前記発信間隔設定手段は、前記携帯型鍵機能装置から送信された前記第１の識別情報が前記登録手段により前記第２の識別情報として前記記憶手段に記憶されたとき、前記通信信号の発信間隔を第１の発信間隔に設定し、その後、前記記憶手段に記憶された第２の識別情報に含まれる前記使用終了日情報が示す使用終了日時が到来したとき、前記通信信号の発信間隔を前記第１の発信間隔よりも長い間隔である第２の発信間隔に設定することを特徴とする請求項１に記載のロック装置。
【請求項４】
前記携帯型鍵機能装置はパッシブ型非接触ＩＣカードであることを特徴とする請求項１ないし３のいずれかに記載のロック装置。
【請求項５】
外殻を形成する筐体と、前記筐体内に収容された電池とを備え、前記電池から供給される電力により動作することを特徴とする請求項１ないし４のいずれかに記載のロック装置。
【発明の詳細な説明】
【技術分野】
【０００１】
本発明は、例えばＩＣカード、ＲＦＩＤ（Ｒａｄｉｏ  Ｆｒｅｑｕｅｎｃｙ  Ｉｄｅｎｔｉｆｉｃａｔｉｏｎ）カード等を用いて電気錠を制御するロック装置に関する。
【背景技術】
【０００２】
ＩＣカード、ＲＦＩＤカード等を用いて電気錠を制御するロック装置は、例えばホテル等の施設において利用されている。
【０００３】
また、下記の特許文献１には、建物に設けられた扉を解錠するためのカードキーシステムであって、ユーザを識別するための識別情報が記載されたカードキーと、前記建物に設けられ、前記カードキーが所定通信範囲内に入ると非接触式の通信により前記カードキーから識別情報を取り出してユーザを識別する読取装置と、前記建物に設けられ、前記読取装置でユーザを識別できた場合にのみ扉の施錠解錠を切り換える施錠装置とを備えたカードキーシステムが記載されている。
【先行技術文献】
【特許文献】
【０００４】
【特許文献１】特開２００４−６８４８３号公報
【発明の概要】
【発明が解決しようとする課題】
【０００５】
カードリーダによりＩＣカードから識別情報を読み取り、この読み取った識別情報を用いて当該ＩＣカードが正しいＩＣカードであるか否かを判断し、当該ＩＣカードが正しいＩＣカードである場合に電気錠を施錠動作または解錠動作させるロック装置において、カードリーダは、ＩＣカードと通信を行うのに必要な通信信号を周期的に発信している。この通信信号は、例えばＩＣカードがパッシブ型非接触ＩＣカード（パッシブ型非接触ＲＦＩＤ）である場合には、ＩＣカードにおいて電磁誘導による電力の生成を可能にすると共にＩＣカードからカードリーダへ識別情報を搬送するキャリアとして機能する信号である。
【０００６】
カードリーダは上記通信信号を一定の間隔、例えば０．５秒間隔で常時発信している。これにより、ＩＣカードがカードリーダに接近または接触した場合には、概ね０．５秒以内にＩＣカードからカードリーダへ識別情報が送信され、続いて、この識別情報を用いたＩＣカードの正否判断が直ちに行われ、判断の結果に応じて電気錠の施錠動作または解錠動作が即座に行われる。このように、上記通信信号の発信間隔を例えば０．５秒間隔に設定することにより、ロック装置のレスポンスを良くすることができ、利用者にとっての操作性を向上させることができる。
【０００７】
しかしながら、上記通信信号を例えば０．５秒といった短い間隔で常時発信しているため、ロック装置の消費電力が大きく、ロック装置が電池駆動である場合には、電池の寿命が短くなるという問題がある。一方、上記通信信号の発信間隔を長くすれば、ロック装置の消費電力を削減することができるが、この場合、ロック装置のレスポンスが悪くなり、利用者にとっての操作性が低下してしまう。
【０００８】
本発明は例えば上述したような問題に鑑みなされたものであり、本発明の課題は、利用者がＩＣカード等の携帯型鍵機能装置を使用した際の良好なレスポンスを確保すると共に消費電力を削減することができるロック装置を提供することにある。
【課題を解決するための手段】
【０００９】
上記課題を解決するために、本発明の第１のロック装置は、電気錠の動作を制御するロック装置であって、鍵として機能する携帯可能な装置である携帯型鍵機能装置に対し、通信信号を発信する通信信号発信手段と、前記通信信号の発信間隔を設定する発信間隔設定手段と、前記通信信号発信手段により発信された通信信号を受信した前記携帯型鍵機能装置から送信され、前記携帯型鍵機能装置の使用終了日時を示す使用終了日時情報を含む第１の識別情報を受信する識別情報受信手段と、第２の識別情報を記憶する記憶手段と、前記識別情報受信手段により受信された第１の識別情報と前記記憶手段に記憶された第２の識別情報とが一致するか否かを判断する一致判断手段と、前記一致判断手段による判断の結果、前記識別情報受信手段により受信された第１の識別情報と前記記憶手段に記憶された第２の識別情報とが一致しないときには、所定の条件の満たす場合に限り、前記識別情報受信手段により受信された第１の識別情報を前記第２の識別情報として前記記憶手段に記憶する登録手段と、前記一致判断手段による判断の結果、前記識別情報受信手段により受信された第１の識別情報と前記記憶手段に記憶された第２の識別情報とが一致したときには前記電気錠を解錠動作させる電気錠制御手段とを備え、前記発信間隔設定手段は、前記記憶手段に記憶された第２の識別情報に含まれる前記使用終了日情報が示す前記携帯型鍵機能装置の使用終了日時が到来したとき、前記通信信号の発信間隔を長くすることを特徴とする。
【００１０】
本発明の第１のロック装置によれば、例えばＩＣカード等の携帯型鍵機能装置の使用期間中は、通信信号の発信間隔を比較的短くすることにより、当該携帯型鍵機能装置からの第１の識別情報の受信、第１の識別情報を用いた当該携帯型鍵機能装置の正否判断、および当該携帯型鍵機能装置の正否判断に基づく電気錠の解錠動作を迅速に行うことができ、これにより、ロック装置のレスポンスを良くすることができる。一方、携帯型鍵機能装置の使用期間が終了した後は、通信信号の発信間隔を比較的長くすることにより、ロック装置の消費電力を削減することができる。また、携帯型鍵機能装置から第１の識別情報を受信する際に、当該携帯型鍵機能装置の使用終了日時情報を取得することができるので、使用終了日時情報の取得、および使用終了日時に基づく通信信号の発信間隔の変更を容易に実現することができる。
【００１１】
上記課題を解決するために、本発明の第２のロック装置は、上述した本発明の第１のロック装置において、前記発信間隔設定手段は、前記携帯型鍵機能装置から送信された前記第１の識別情報が前記識別情報受信手段により初めて受信されたとき、前記通信信号の発信間隔を第１の発信間隔に設定し、その後、前記記憶手段に記憶された第２の識別情報に含まれる前記使用終了日情報が示す使用終了日時が到来したとき、前記通信信号の発信間隔を前記第１の発信間隔よりも長い間隔である第２の発信間隔に設定することを特徴とする。
【００１２】
本発明の第２のロック装置によれば、携帯型鍵機能装置の使用期間中において通信信号の発信間隔を短くすることで、ロック装置のレスポンスを良くすることができ、その一方で、携帯型鍵機能装置の使用期間が過ぎた後は、通信信号の発信間隔を長くすることで、ロック装置の消費電力を削減することができる。また、携帯型鍵機能装置の使用期間の始点と終点を明確かつ容易に認識することができる。
【００１３】
上記課題を解決するために、本発明の第３のロック装置は、上述した本発明の第１のロック装置において、前記発信間隔設定手段は、前記携帯型鍵機能装置から送信された前記第１の識別情報が前記登録手段により前記第２の識別情報として前記記憶手段に記憶されたとき、前記通信信号の発信間隔を第１の発信間隔に設定し、その後、前記記憶手段に記憶された第２の識別情報に含まれる前記使用終了日情報が示す使用終了日時が到来したとき、前記通信信号の発信間隔を前記第１の発信間隔よりも長い間隔である第２の発信間隔に設定することを特徴とする。
【００１４】
本発明の第３のロック装置によれば、携帯型鍵機能装置の使用期間の始点と終点を明確かつ容易に認識することができる。
【００１５】
上記課題を解決するために、本発明の第４のロック装置は、上述した本発明の第１ないし第３のいずれかのロック装置において、前記携帯型鍵機能装置はパッシブ型非接触ＩＣカードであることを特徴とする。
【００１６】
本発明の第４のロック装置によれば、ＩＣカードの使用期間が終了した後は、キャリア（搬送波）として機能する通信信号の発信間隔を長くすることにより、ロック装置の消費電力を削減することができる。
【００１７】
上記課題を解決するために、本発明の第５のロック装置は、上述した本発明の第１ないし第４のいずれかのロック装置において、外殻を形成する筐体と、前記筐体内に収容された電池とを備え、前記電池から供給される電力により動作することを特徴とする。
【００１８】
本発明の第５のロック装置によれば、携帯型鍵機能装置の使用期間が過ぎた後は、通信信号の発信間隔を長くすることで、ロック装置の電池の寿命を延ばすことができる。
【発明の効果】
【００１９】
本発明によれば、利用者がＩＣカード等の携帯型鍵機能装置を使用した際の良好なレスポンスを確保することができ、かつ消費電力を削減することができる。
【図面の簡単な説明】
【００２０】
【図１】本発明の実施形態によるロック装置をＩＣカードおよび電気錠と共に示すブロック図である。
【図２】本発明の実施形態によるロック装置が行う処理を示すフローチャートである。
【発明を実施するための形態】
【００２１】
以下、本発明の実施の形態について図面を参照しながら説明する。図１は本発明の実施形態によるロック装置を示している。図１において、本発明の実施形態によるロック装置１は、ＩＣカード２から送信されたカード情報を受信し、この受信したカード情報を用いてＩＣカード２が正しいＩＣカードであるか否かを判断し、ＩＣカード２が正しいＩＣカードである場合には、電気錠３１を施錠動作または解錠動作させる装置である。本実施形態において、ロック装置１はホテルの部屋のセキュリティ管理に適用されている。ロック装置１は、例えばホテルの部屋の扉に取り付けられ、当該扉に取り付けられた電気錠３１を制御し、当該扉の施錠、解錠を行う。
【００２２】
ＩＣカード２は、それをロック装置１に対して使用して電気錠３１を動作させる点で、鍵として機能する。また、ＩＣカード２は、利用者が例えば衣服のポケットに入れ、または小さな鞄に収容して手軽に携帯することができる。このような点から、ＩＣカード２は携帯型鍵機能装置の一形態である。具体的には、ＩＣカード２はパッシブ型非接触ＩＣカードである。ＩＣカード２は、ロック装置１から発信されるカード通信信号により電磁誘導を生じさせて電力を得て、この電力によりカード情報をロック装置１に送信する。ＩＣカード２とロック装置１との間の通信には、パッシブ型非接触ＲＦＩＤの通信方式を適用することができる。カード通信信号には、ＩＣカード２に電力を与えるための信号と、カード情報をＩＣカード２からロック装置１に搬送するためのキャリアとなる信号とが含まれている。ＩＣカード２がロック装置１に接近し、ＩＣカード２とロック装置１のアンテナ１２との間の距離が例えば１２ｍｍ以下となったときに、ＩＣカード２はカード通信信号を受信して電力を得てカード情報の送信を行うことが可能になる。
【００２３】
ＩＣカード２は、記憶素子３、演算処理回路４およびアンテナ５を備えている。記憶素子３は不揮発性の書換可能な半導体記憶素子である。記憶素子３にはカード情報が記憶されている。カード情報には、ホテルコード、部屋番号、チェックイン日時情報、チェックアウト日時情報等が含まれている。ホテルコードはロック装置１が用いられているホテルを識別するためのコードである。部屋番号はロック装置１が取り付けられた部屋の番号である。チェックイン日時情報は、当該ＩＣカード２の利用者がホテルにチェックインした日時（年月日時分秒）を示す情報である。チェックアウト日時情報は、当該ＩＣカード２の利用者がホテルをチェックアウトする日時（年月日時分秒）を示す情報である。
【００２４】
ＩＣカード２は、例えば利用者（宿泊客）がホテルにチェックインしたときに、カード発行機等により発行され、利用者に手渡される。ＩＣカード２の発行時に、上述したカード情報がカード発行機によりＩＣカード２の記憶素子３に記憶される。ＩＣカード２を手渡された利用者は、チェックアウトするまでの間、当該ＩＣカード２をロック装置１に対して使用し（具体的には当該ＩＣカード２をロック装置１にかざし）、当該ロック装置１により電気錠３１を動作させ、利用が許可された部屋の扉の施錠、解錠を行うことができる。
【００２５】
ロック装置１は、ＩＣカード２から送信されたカード情報を受信し、この受信したカード情報を用いてＩＣカード２が正しいＩＣカードであるか否かを判断するカードリーダ部１１と、ＩＣカード２が正しいＩＣカードである場合に電気錠３１を施錠動作または解錠動作させる回路である電気錠制御部２１と、ロック装置１および電気錠３１に電力を供給する電池２２とを備えている。ロック装置１は、その外殻を形成する筐体２３を備え、カードリーダ部１１、電気錠制御部２１および電池２２は筐体２３内に収容されている。
【００２６】
カードリーダ部１１は、アンテナ１２、通信制御部１３、発信間隔設定部１４、日時情報取得部１５、記憶部１６、カード登録部１７およびカード判断部１８を備えている。
【００２７】
通信制御部１３は、ＩＣカード２と無線通信を行うための通信制御回路であり、アンテナ１２を介してカード通信信号を発信すると共に、ＩＣカード２から送信されたカード情報をアンテナ１２を介して受信する。発信間隔設定部１４は、カード通信信号の発信間隔を設定し、また、ＩＣカード２から送信されたカード情報に含まれるチェックアウト日時情報に基づいてカード通信信号の発信間隔を変更する。日時情報取得部１５は、記憶部１６に記憶された登録情報からチェックアウト日時情報を抽出する。
【００２８】
記憶部１６は情報を書換可能に記憶することができる記憶手段であり、例えばロック装置１に内蔵されたメモリにより実現される。記憶部１６には登録情報が記憶されている。登録情報には、ホテルコード、部屋番号、チェックイン日時情報、チェックアウト日時情報等が含まれている。なお、登録情報は、現在登録されているＩＣカード２のカード情報と同一である。
【００２９】
カード登録部１７はＩＣカード２を登録する処理を行う。すなわち、カード登録部１７は、ＩＣカード２がロック装置１に対して初めて使用されたときに、当該ＩＣカード２からロック装置１に送信されたカード情報を、所定の登録条件を満足した場合に限り、登録情報として記憶部１６に記憶する。カード判断部１８は、登録後のＩＣカード２がロック装置１に対して使用されたときに、当該ＩＣカード２からロック装置１に送信されたカード情報と記憶部１６に記憶された登録情報とを比較し、当該ＩＣカード２の正否判断を行う。
【００３０】
通信制御部１３の一部、発信間隔設定部１４、日時情報取得部１５、カード登録部１７およびカード判断部１８は、ロック装置１に内蔵されたＣＰＵ（Ｃｅｎｔｒａｌ  Ｐｒｏｃｅｓｓｉｎｇ  Ｕｎｉｔ）が、ロック装置１に内蔵されたメモリに記憶されたプログラムを読み出して実行することにより実現される。なお、通信制御部１３が通信信号発信手段および識別情報受信手段の具体例である。また、発信間隔設定部１４が発信間隔設定手段の具体例であり、日時情報取得部１５が日時情報取得手段の具体例であり、記憶部１６が記憶手段の具体例である。また、カード判断部がカード判断手段の具体例であり、電気錠制御部２１が電気錠制御手段の具体例である。また、カード情報が第１の識別情報の具体例であり、登録情報が第２の識別情報の具体例であり、チェックアウト日時情報が使用終了日時情報の具体例である。
【００３１】
図２はロック装置１により行われる処理を示している。図２に示すように、ロック装置１は、当該ロック装置１が稼働を開始した当初は、カード通信信号の発信間隔を初期発信間隔に設定し、ＩＣカード２が当該ロック装置１に登録されてから、当該ＩＣカード２のカード情報に含まれるチェックアウト日時情報が示すチェックアウト日時が到来するまでの期間中は、カード通信信号の発信間隔を利用期間中発信間隔（第１の発信間隔）に設定し、当該チェックアウト日時が到来した後は、カード通信信号の発信間隔を利用期間外発信間隔（第２の発信間隔）に変更する処理を行う。初期発信間隔は例えば２秒であり、利用期間中発信間隔は例えば０．５秒であり、利用期間外発信間隔は利用期間中発信間隔よりも長く、例えば２秒である。これにより、ホテルの利用者がホテルにチェックインをし、ＩＣカード２を受け取り、当該ＩＣカード２を、利用が許可された部屋の扉に取り付けられたロック装置１に対して初めて使用してから、当該利用者についてのチェックアウト日時が到来するまでの間、カード通信信号の発信間隔が他の期間と比較して短くなる。すなわち、利用者が部屋を利用している期間中、カード通信信号の発信間隔が他の期間と比較して短くなる。これより、このようなロック装置１による処理について具体的に説明する。
【００３２】
図２に示すロック装置１による処理には、未登録のＩＣカード２をロック装置１に登録する処理と、登録されたＩＣカード２が使用されたときにＩＣカード２の正否を判断して電気錠３１を制御する処理が含まれている。
【００３３】
まず、未登録のＩＣカード２をロック装置１に登録する処理について説明する。図２において、ロック装置１が稼働を開始したとき、カードリーダ部１１の発信間隔設定部１４がカード通信信号の発信間隔を初期発信間隔に設定する（ステップＳ１）。続いて、カードリーダ部１１の発信間隔設定部１４が、チェックアウト日時が到来したか否かを判断するが（ステップＳ２）、この判断はＩＣカード２が登録された後に意味をなす判断であるので、ＩＣカード２が登録される前の段階では「ＮＯ」と判断され、この結果、処理は直ちにステップＳ４へ移行する。
【００３４】
続いて、カードリーダ部１１の通信制御部１３が、現時点において設定されている発信間隔でカード通信信号を発信し（ステップＳ４）、カード通信信号を１回発信するたびにＩＣカード２のカード情報を受信したか否かを判断する（ステップＳ５）。そして、通信制御部１３は、ＩＣカード２のカード情報を受信するまで、カード通信信号の１回の発信と、ＩＣカード２のカード情報を受信したか否かの判断とを含む一組の処理を、現時点において設定されている発信間隔で繰り返し行う。現時点では、カード通信信号の発信間隔が初期発信間隔に設定されているので、通信制御部１３は上記一組の処理を初期発信間隔で繰り返す。
【００３５】
この間、ＩＣカード２がロック装置１に接近すると、ＩＣカード２がカード通信信号を受信して電力を得て、カード情報をロック装置１に送信する。ロック装置１において、通信制御部１３がこのカード情報を受信すると（ステップＳ５：ＹＥＳ）、カードリーダ部１１のカード判断部１８が、ＩＣカード２から送信されたカード情報と、記憶部１６に記憶された登録情報とを比較し、両者が一致するか否かを判断し、この判断結果に基づいて当該ＩＣカード２が正しいＩＣカードであるか否かを判断する（ステップＳ６）。
【００３６】
当該ＩＣカード２が未登録である場合には、カード判断部１８は、ステップＳ６で「ＮＯ」と判断する。続いて、カード登録部１７が、当該ＩＣカード２を登録すべきか否かを判断する（ステップＳ７）。例えばカードリーダ部１１の記憶部１６には、当該ロック装置１が設けられたホテルのホテルコードおよび部屋番号が予め記憶されており、当該ＩＣカード２から送信されたカード情報に含まれるホテルコードおよび部屋番号が、記憶部１６に予め記憶されたホテルコードおよび部屋番号と一致した場合には、カード登録部１７は、当該ＩＣカード２を登録すべきと判断する（ステップＳ７：ＹＥＳ）。この場合、カード登録部１７は当該カード情報を登録情報として記憶部１６に記憶する（ステップＳ８）。なお、この時点で記憶部１６に過去の登録情報が記憶されていた場合には、当該過去の登録情報は消去される。
【００３７】
ＩＣカード２の登録が行われたとき、発信間隔設定部１４は、カード通信信号の発信間隔を利用期間中発信間隔に変更する（ステップＳ９）。その後、処理はステップＳ２に戻る。
【００３８】
一方、ステップＳ７で、当該ＩＣカード２から送信されたカード情報に含まれるホテルコードおよび部屋番号と、記憶部１６に予め記憶されたホテルコードおよび部屋番号とが一致しない場合には、カード登録部１７は当該ＩＣカード２を登録すべきでないと判断する（ステップＳ７：ＮＯ）。この場合、処理はステップＳ２に戻る。また、この場合、カード通信信号の発信間隔は変更されない。
【００３９】
次に、登録されたＩＣカード２が使用されたときのロック装置１の動作について説明する。上述したように、ＩＣカード２が登録されると、ステップＳ９でカード通信信号の発信間隔が利用期間中発信間隔に変更された後、処理がステップＳ２に戻る。
【００４０】
続いて、発信間隔設定部１４は、チェックアウト日時が到来したか否かを判断する（ステップＳ２）。上述したように、カード情報にはチェックアウト日時情報が含まれている。そして、登録情報は現在登録されているＩＣカード２のカード情報と同一であるから、登録情報には、現在登録されているＩＣカード２のカード情報に含まれているチェックアウト日時情報と同一のチェックアウト日時情報が含まれている。カードリーダ部１１の日時情報取得部１５は、ステップＳ２において、登録情報に含まれるチェックアウト日時情報を記憶部１６から読み出す。続いて、発信間隔設定部１４は、ロック装置１に内蔵されている時計を用いて現在日時を認識し、日時情報取得部１５により記憶部１６から読み出されたチェックアウト日時情報が示すチェックアウト日時と現在日時とを比較し、当該チェックアウト日時が到来したか否かを判断する。
【００４１】
当該チェックアウト日時が到来していない場合には（ステップＳ２：ＮＯ）、通信制御部１３は、現時点において設定されている発信間隔でカード通信信号を発信し（ステップＳ４）、カード通信信号を１回発信するたびにＩＣカード２のカード情報を受信したか否かを判断する（ステップＳ５）。そして、通信制御部１３は、ＩＣカード２のカード情報を受信するまで、カード通信信号の１回の発信と、ＩＣカード２のカード情報を受信したか否かの判断とを含む一組の処理を、現時点で設定されている発信間隔で繰り返し行う。現時点では、カード通信信号の発信間隔が利用期間中発信間隔に設定されているので、通信制御部１３は上記一組の処理を利用期間中発信間隔で繰り返す。
【００４２】
この間、ＩＣカード２がロック装置１に接近し、ＩＣカード２がカード情報を送信し、ロック装置１において、通信制御部１３がこのカード情報を受信すると（ステップＳ５：ＹＥＳ）、カード判断部１８が、ＩＣカード２から送信されたカード情報と、記憶部１６に記憶された登録情報とを比較し、両者が一致するか否かを判断し、この判断結果に基づいて当該ＩＣカード２が正しいＩＣカードであるか否かを判断する（ステップＳ６）。
【００４３】
当該ＩＣカード２から送信されたカード情報と、記憶部１６に記憶された登録情報とが一致した場合、当該ＩＣカード２は、現在登録されているＩＣカードである。この場合、カード判断部１８は、当該ＩＣカードが正しいＩＣカードであると判断する（ステップＳ６：ＹＥＳ）。そして、この場合には、電気錠制御部２１が電気錠３１に制御信号を出力し、電気錠３１を施錠動作または解錠動作させる。電気錠３１が施錠動作をした場合には、部屋の扉が施錠され、電気錠３１が解錠動作をした場合には、部屋の扉が解錠される。
【００４４】
一方、当該ＩＣカード２から送信されたカード情報と、記憶部１６に記憶された登録情報とが一致しない場合には、当該ＩＣカード２は現在登録されていないＩＣカード、すなわち未登録のＩＣカードであるから、カード判断部１８は、当該ＩＣカードが正しいＩＣカードでないと判断する。この場合には、上述したように、当該ＩＣカード２が上述した所定の登録条件（ホテルコードおよび部屋番号の一致）を満足した場合には、当該ＩＣカード２はカード登録部１７により登録される。そして、カード通信信号の発信間隔が利用期間中発信間隔に維持されたまま、処理がステップＳ２に戻る。一方、当該ＩＣカード２が上述した所定の登録条件を満足しない場合には、当該ＩＣカード２は登録されず、カード通信信号の発信間隔が変更されないまま、処理は直ちにステップＳ２に戻る。
【００４５】
他方、ステップＳ２で、当該チェックアウト日時が到来したか否かを判断した結果、当該チェックアウト日時が到来した場合には（ステップＳ２：ＹＥＳ）、発信間隔設定部１４は、カード通信信号の発信間隔を利用期間外発信間隔に変更する（ステップＳ３）。その後、処理はステップＳ４に移行する。これにより、カード通信信号の１回の発信と、ＩＣカード２のカード情報を受信したか否かの判断とを含む一組の処理が利用期間外発信間隔で繰り返されるようになる。
【００４６】
以上説明した通り、本発明の実施形態によるロック装置１によれば、利用者が部屋を利用している期間中はカード通信信号の発信間隔を短くし、ロック装置１のレスポンスを良くすることができ、その一方で、利用者が部屋を利用していない期間中はカード通信信号の発信間隔を長くし、ロック装置１の消費電力を削減し、ロック装置１の電池２２の寿命を長くすることができる。
【００４７】
なお、上述した実施形態では、利用期間中発信間隔を例えば０．５秒としたが、ロック装置１の良好なレスポンスを実現し得る範囲で利用期間中発信間隔を０．５秒未満としてもよいし、０．５秒より長くしてもよい。また、上述した実施形態では、利用期間外発信間隔を例えば２秒としたが、ロック装置１の消費電力の削減（電池の長寿命化）を実現し得る範囲で利用期間外発信間隔を２秒未満としてもよいし、２秒よりも長くしてもよい。もっとも、利用期間外発信間隔が利用期間中発信間隔よりも長くなるようにする。初期発信間隔については、利用期間外発信間隔と同じの観点で定めることができる。
【００４８】
また、上述した実施形態では、ロック装置１をホテルに適用する場合を例にあげたが、本発明はこれに限らない。本発明のロック装置はホテル以外の種々の管理対象に適用することができる。上述したようにロック装置１をホテルに適用した場合には、チェックアウト日時をＩＣカード２の使用終了日時とすることが適切であるが、ロック装置１を他の管理対象に適用した場合には、例えば当該管理対象の利用終了日時をＩＣカード２の使用終了日時とすることができる。
【００４９】
また、上述した実施形態では、非接触型のＩＣカード２を用いる場合を例にあげたが、本発明はこれに限らず、接触型のＩＣカードを用いる場合にも適用することができる。また、ＩＣカード２と同様に、鍵として機能し、かつ手軽に携帯することができる携帯型鍵機能装置として、携帯電話機やスマートホン等も考えられる。本発明のロック装置において、ＩＣカード２に代えて携帯電話機やスマートホン等を用いる構成としてもよい。
【００５０】
また、上述した実施形態では、カード情報と登録情報との一致をもってＩＣカード２が正しいＩＣカードであると判断する場合を例にあげたが、本発明はこれに限らず、ＩＣカード２から受け取る情報と、ロック装置１の記憶部１６に記憶された情報とが予め定められた対応関係にある場合に、当該ＩＣカードが正しいＩＣカードであると判断してもよい。
【００５１】
また、上述した実施形態では、チェックアウト日時情報を、ＩＣカード２から受信したカード情報（登録情報）中から取得する場合を例にあげたが、本発明はこれに限らない。チェックアウト日時情報を他の経路から取得してもよい。例えば、利用者がホテルのフロントでチェックインするときに、フロント・スタッフが、フロントに設置された管理用のパーソナルコンピュータにチェックアウト日時情報を入力し、当該管理用のコンピュータからロック装置１にチェックアウト日時情報を無線通信する構成としてもよい。
【００５２】
また、本発明は、請求の範囲および明細書全体から読み取ることのできる発明の要旨または思想に反しない範囲で適宜変更可能であり、そのような変更を伴うロック装置もまた本発明の技術思想に含まれる。
【符号の説明】
【００５３】
１  ロック装置
２  ＩＣカード（携帯型鍵機能装置）
１１  カードリーダ部
１２  アンテナ
１３  通信制御部（通信信号発信手段、識別情報受信手段）
１４  発信間隔設定部（発信間隔設定手段）
１５  日時情報取得部（日時情報取得手段）
１６  記憶部（記憶手段）
１７  カード登録部
１８  カード判断部（カード判断手段）
２１  電気錠制御部（電気錠制御手段）
２２  電池
２３  筐体
３１  電気錠
【図１】
0005912319.tif 000002
【図２】
0005912319.tif 000003